(57)【特許請求の範囲】
【請求項１】
平型柔軟ケーブルをプリント基板に接続する平型柔軟ケーブル用コネクタに於いて、
該平型柔軟ケーブル用コネクタは、複数のコンタクトが所定のピッチで並設されていると共に一端側に前記平型柔軟ケーブルが挿入される開口部を有する絶縁ハウジングと、該絶縁ハウジングの他端側外方にある操作部、及び、該操作部から延び、前記絶縁ハウジングの両短辺側に形成されたホルダ部に保持され、前記平型柔軟ケーブルの挿抜方向にスライド可能な一対のアームを有するスライダと、前記一対のアームの一端側に取り付けられたケーブル支持部材とを備え、
前記操作部を前記平型柔軟ケーブルの挿入方向にスライドさせることにより、前記スライダが所定位置に固定され、前記ケーブル支持部材に支持された前記平型柔軟ケーブルの導電パッド部が前記コンタクトと接触することを特徴とする平型柔軟ケーブル用コネクタ。
【請求項２】
前記絶縁ハウジングは、前記スライダのケーブル支持部材及び操作部の両側を一対のアームで連結して該一対のアームを前記絶縁ハウジングの両短辺側に摺動可能に挿通保持し、前記操作部を前記絶縁ハウジングの他端側に当接するまで押し込むことにより、前記ケーブル支持部材が絶縁ハウジングの一端側から外方に押し出され、前記絶縁ハウジングの一端が開口する請求項１に記載の平型柔軟ケーブル用コネクタ。
【発明の詳細な説明】
【０００１】
【産業上の利用分野】
本発明は、ＦＦＣ（フレキシブルフラットケーブル）及びＦＰＣ（フレキシブルプリントサーキット）等のフラットケーブルをプリント基板に容易に接続することができる平型柔軟ケーブル用コネクタに関する。
【０００２】
【従来の技術】
従来のフレキシブルフラットケーブル及びフレキシブルプリントサーキット等のフラットケーブルは、端部に複数の接続端子を形成した板状の柔軟な接続ケーブルであり、このフラットケーブルは、液晶ディスプレイなどの複数の接続線を有する電子部品とプリント基板とを端部に形成された複数の接続端子により接続されている。
【０００３】
例えば、携帯電話機において、小型の液晶ディスプレイをプリント基板へ取付けるには、液晶ディスプレイから出ているプリント基板の接続用のフレキシブルプリント基板をフラットケーブルコネクタに差し込んで電気的に接続し、液晶ディスプレイをプリント基板へ固定している。
【０００４】
この種のフラットケーブルコネクタとして、例えば、特開２００１−１３５３９２号公報が知られている。この平型柔軟ケーブル用コネクタの従来技術につき図８〜図１０を参照して説明する。尚、本発明の構成部材と同一部材については同一名称を使用して説明する。図８は従来の平型柔軟ケーブル用コネクタの底面図、図９は図８のＢ−Ｂ断面図であり、図１０は平型柔軟ケーブルを取付けたコネクタをプリント基板に接続する状態を示す斜視図である。
【０００５】
平型柔軟ケーブル用コネクタ３０１は、図１０に示すように、柔軟な薄板状の平型柔軟ケーブルＦによってプリント基板Ｐと液晶ディスプレイ等の部品Ｗを電気的導通状態に接続する中継用のものとして使用される。
【０００６】
平型柔軟ケーブル用コネクタ３０１に平型柔軟ケーブルＦの一端を接続するに際し、薄板状の筐体で構成されるハウジング３０２の空間内にケーブル支持部材３０３が一端側開口部から緩く挿入された状態をとり、この状態で、平型柔軟ケーブルＦの導電パッド部がケーブル支持部材３０３の挿入口３０４側から内部空間に挿入される。
【０００７】
平型柔軟ケーブルＦの一端を挿入するに際し、ハウジング３０２の上部固定板３１０の下面に、顎部材３０９を介して取付けられる電気的導通性を有する端子３０６の複数の接触部３０５とは反対側に、弾性変形可能な操作アーム３０７が一体的に延設し、その先端３０８が上部固定板３１０の上方に突出した状態となっており、この状態では、ケーブル支持部材３０３の支持面３０３ａと複数の接触部３０５との間に間隙が形成されている。
【０００８】
この平型柔軟ケーブルＦの一端をケーブル支持部材３０３の支持面３０３ａと複数の接触部３０５とで形成される間隙に挿入する時点では、図９に示すプリント基板Ｐと液晶ディスプレイ等の部品Ｗは、未だハウジング３０２の上下面に取り付けられていない状態となっている。
【０００９】
そこで、平型柔軟ケーブルＦの一端を、ケーブル支持部材３０３の挿入口３０４側から間隙を通して内部空間に挿入した状態で、突出した操作アーム３０７の先端３０８を下方に押圧して弾性変形させることで端子３０６の接触部３０５が押し上げられ、平型柔軟ケーブルＦの一端は接触部３０５の接触圧によりケーブル支持部材３０３の支持面３０３ａとの間で挟持される。
【００１０】
平型柔軟ケーブルＦの一端が平型柔軟ケーブル用コネクタ３０１に接続されると、操作アーム３０７を押し下げて平型柔軟ケーブルＦの一端を保持した状態で、ハウジング３０２上下面にプリント基板Ｐと液晶ディスプレイ等の部品Ｗがそれぞれ取り付けられる。
【００１１】
このようにして、平型柔軟ケーブルＦの電流は、平型柔軟ケーブルＦ一端の導電パッド部と接触する接触部３０５から端子３０６、顎部材３０９よりハウジング３０２上面の上部固定板３１０を通してプリント基板Ｐに流れる。
【００１２】
【発明が解決しようとする課題】
ところが、このような従来の平型柔軟ケーブル用コネクタ３０１では、平型柔軟ケーブルＦの抜き差しする操作を、ハウジング３０２一側の挿入口３０４側で行っているため、平型柔軟ケーブルＦの差し込み時における操作が困難となり、特に微少部品を扱う際においては操作性が著しく阻害される問題を有していた。
【００１３】
従って、本発明の目的とする所は、ハウジングの開口端部からフラットケーブルを挿通空間内に挿脱する際において、挿脱時における操作を極めて容易に行うことができる平型柔軟ケーブル用コネクタを提供することにある。
【００１４】
【課題を解決するための手段】
本発明は、平型柔軟ケーブルをプリント基板に接続する平型柔軟ケーブル用コネクタに於いて、該平型柔軟ケーブル用コネクタは、複数のコンタクトが所定のピッチで並設されていると共に一端側に前記平型柔軟ケーブルが挿入される開口部を有する絶縁ハウジングと、該絶縁ハウジングの他端側外方にある操作部、及び、該操作部から延び、前記絶縁ハウジングの両短辺側に形成されたホルダ部に保持され、前記平型柔軟ケーブルの挿抜方向にスライド可能な一対のアームを有するスライダと、前記一対のアームの一端側に取り付けられたケーブル支持部材とを備え、前記操作部を前記平型柔軟ケーブルの挿入方向にスライドさせることにより、前記スライダが所定位置に固定され、前記ケーブル支持部材に支持された前記平型柔軟ケーブルの導電パッド部が前記コンタクトと接触することを特徴とする平型柔軟ケーブル用コネクタである。
【００１５】
更に本発明は、前記絶縁ハウジングが、前記スライダのケーブル支持部材及び操作部の両側を一対のアームで連結して該一対のアームを前記絶縁ハウジングの両短辺側に摺動可能に挿通保持し、前記操作部を前記絶縁ハウジングの他端側に当接するまで押し込むことにより、前記ケーブル支持部材が絶縁ハウジングの一端側から外方に押し出され、前記絶縁ハウジングの一端が開口する平型柔軟ケーブル用コネクタである。
従って、スライダのケーブル支持部材と操作部の両側が一対のアームで連結されているので、スライダのケーブル支持部材の出し入れ動作が操作部によって連携して所定量スライドすることができ、従来のようにフラットケーブルを支持するケーブル支持部材が絶縁ハウジングから抜け落ちることがない。
【００１６】
【発明の実施の形態】
次に、添付図面、図１〜図５により、本発明の一実施の形態を詳細に説明する。図１の（Ａ）は本発明の一実施形態に係る平型柔軟ケーブル用コネクタが開放された状態を示す斜視図、（Ｂ）は平型柔軟ケーブル用コネクタが閉じた状態を示す斜視図、図２は平型柔軟ケーブル用コネクタが開放された状態を示す平面図、図３は開放された平型柔軟ケーブル用コネクタにフラットケーブルが差し込まれた状態を示す平面図、図４は平型柔軟ケーブル用コネクタの正面図であり、図５はケーブル支持面が外方に押し出された状態を示す図４のＡ−Ａ断面図である。
【００１７】
図１の（Ａ）、（Ｂ）及び図５に示すように、符号１は平型柔軟ケーブル用コネクタ（以下ケーブル用コネクタと称する）を示しており、このケーブル用コネクタ１は、ＦＦＣ（フレキシブルフラットケーブル）またはＦＰＣ（フレキシブルプリントサーキット）等の平型柔軟ケーブルをプリント基板Ｐに接続するものであって、外形が薄板状横長矩形の微少（略５ｍｍ×１７ｍｍ×１ｍｍ）な筐体状に構成されている。
【００１８】
そして、このケーブル用コネクタ１は、絶縁部材で形成された絶縁ハウジング４（以下ハウジング４と称する）と、弾性を有する導電性部材からなり一端側に平型柔軟ケーブルＦが挿入される開口部２を有する端子９とから構成されている。この端子９は、上記ハウジング４内の開口部２を通して挿通空間３に挿入される平型柔軟ケーブルＦの導電パッド部１６（図６参照）と接触すべく所定のピッチで並設された複数のコンタクト（以下接触部９ａと称する）と、プリント基板Ｐのパッド部（図示せず）に所定のピッチで並設されて半田付けされるテール部９ｂとを有し、平型柔軟ケーブルＦの挿入方向に対してほぼ直角方向（図２中、左右方向）に複数並設される。また、ハウジング４には、平型柔軟ケーブルＦの挿抜方向に摺動可能なスライダ８が取り付けられている。スライダ８は金属部材の表面に樹脂コーティングされていて、操作部６と一対のアーム６ａ、６ｂからなり、アーム６ａ、６ｂがハウジング４のホルダ部１４ａ、１４ｂに摺動可能に保持されている。さらに、アーム６ａ、６ｂの先端部（平型柔軟ケーブルＦ挿入側）にケーブル支持部材５が固定して取り付けられ、平型柔軟ケーブルＦのケーブル用コネクタ１内への挿入をガイドしている。
【００１９】
このケーブル用コネクタ１は、ＩＣ等の電装部品が実装されるプリント基板Ｐ上に取り付けられるものであり、ハウジング４の両短辺側に取り付けられた一対の脚部１２ａ、１２ｂを基板に半田付けすることにより、プリント基板Ｐに実装される。
【００２０】
次に、上記ケーブル用コネクタの操作につき図１、図６及び図７を参照して説明する。
【００２１】
先ず、平型柔軟ケーブルＦをケーブル用コネクタ１に挿入する際は、図１の（Ａ）、図２及び図５に示すように、ケーブル支持部材５は、操作部６をハウジング４に向けて押し込み操作することで、一対のアーム６ａ、６ｂによってハウジング４の開口部２から外方に押出される。この時、一対のアーム６ａ、６ｂに形成された係合部６ａ１、６ｂ１は、図１の（Ａ）に示すようにハウジング４の両短辺側の側部に形成された凹部（図示せず）に弾力的に係合してロック状態にあるが、操作部６を強く押すと弾性力に抗してアーム６ａ、６ｂが両側（図２中、左右方向）に開きロックが解除される。さらに、操作部６を最後まで押し切ると一対のアーム６ａ、６ｂに形成されたテーパー部分６ａ２、６ｂ２がホルダ部１４ａ、１４ｂの先端部分に弾力的に係合するので、スライダ８の平型柔軟ケーブルＦの挿入方向（図２中、上方向）に向く所定の外力以内での移動が防止される。
【００２２】
ケーブル支持部材５を外方に押出すことでハウジング４の開口部２に、挿通空間３内に連通する空間１０が形成されて平型柔軟ケーブルＦが挿入可能となり、図６及び図７に示すように、挿通空間３の最奥部までに平型柔軟ケーブルＦの先端を差し込んだ状態で、操作部６を外方（図２中、上方向）に向けてハウジング４から引き出し操作することによって、ケーブル支持部材５が挿通空間３内に挿入、位置決めされる。
【００２３】
これによって、ケーブル支持部材５上に保持された平型柔軟ケーブルＦ上の複数の導電パッド部１６は、挿通空間３内上方に配置された複数の端子９の接触部９ａと弾力的に押圧状態で接触して電気的に導通状態となる。この状態では、前述のように、係合部６ａ１、６ｂ１がハウジング４の両短辺側の側部に形成された凹部（図示せず）に係合してロック状態となり、スライダ８が位置決め保持されて、ケーブル支持部材５上に支持された平型柔軟ケーブルＦが端子９の接触部９ａと接触した状態で保持される。
【００２４】
従って、上記のように構成されたケーブル用コネクタ１では、ハウジング４の挿通空間３内に平型柔軟ケーブルＦを挿脱するケーブル支持部材５が、ハウジング４の開口部２側に配置される構成であっても、開口部２側に位置するケーブル支持部材５を、開口部２側と反対側に配置される操作部６の出し入れ操作に連携させて出入れ操作することができることから、従来のように、ケーブル支持部材５の操作に妨げられることなく平型柔軟ケーブルＦをケーブル用コネクタ１一端の開口部２から容易に挿入することができる。
【００２５】
スライダ８のケーブル支持部材５と操作部６の両側が一対のアーム６ａ、６ｂによって連結されて、ケーブル支持部材５の出し入れ動作が操作部６との連携にによって所定量スライドすることによりできることから、前述のように、ケーブル支持部材５がケーブル用コネクタ１の外方（図２中、下方向）に押し出されて平型柔軟ケーブルＦが挿入状態にあるとき［図１の（Ａ）及び図６参照]でも、ケーブル支持部材５がハウジング４の内部に保持され、平型柔軟ケーブルＦの導電パッド部１６が端子９の接触部９ａと接触している状態で適度なロック状態が得られる。このため、平型柔軟ケーブルＦから受ける反力によって、ケーブル支持部材５が意に反して平型柔軟ケーブルＦの抜出し方向（図２中、下方向）にスライドし、導電パッド部１６と接触部９ａとの接触状態が解除されるのを防止している。
【００２６】
加えて、平型柔軟ケーブルＦの先端をハウジング４一端側の開口部２から挿入する際は、操作部６をハウジング４の他端側に当接するまで押し込むことにより、ハウジング４の一端側が大きく開口して挿通空間３と連通する空間１０が形成されるので、この空間１０を通して平型柔軟ケーブルＦの先端を無負荷状態で挿通空間３内に差し込むことができる。
【００２７】
【発明の効果】
以上詳述した如く本願の請求項１記載の発明によると、絶縁ハウジングの挿通空間内に平型柔軟ケーブルを挿脱するケーブル支持面が、絶縁ハウジングの開口端部側に配置される構成であっても、開口端部側のケーブル支持面を該開口端部側と反対側に配置される操作部の出入れ操作に連携してスライドさせることができるので、平型柔軟ケーブルをケーブル支持部材の操作に妨げられることなく容易に挿入することができる。
【００２８】
請求項２記載の発明によると、スライダのケーブル支持面と操作部の両側が一対のアームで連結されているので、操作部を所定量スライドさせるだけで、平型柔軟ケーブルを容易に挿抜することができる。
【図面の簡単な説明】
【図１】（Ａ）は本発明の一実施形態に係る平型柔軟ケーブル用コネクタが開放された状態を示す斜視図、（Ｂ）は平型柔軟ケーブル用コネクタが閉じた状態を示す斜視図である。
【図２】 ケーブル支持部材が平型柔軟ケーブル用コネクタから押し出された状態を示す平面図である。
【図３】平型柔軟ケーブルが平型柔軟ケーブル用コネクタに挿入された状態を示す平面図である。
【図４】平型柔軟ケーブル用コネクタの正面図である。
【図５】ケーブル支持面が外方に押し出された状態を示す図４のＡ−Ａ断面図である。
【図６】絶縁ハウジング開口端部から挿通空間内に連通する空間に外方に押し出されたケーブル支持面端部から平型柔軟ケーブルが平型柔軟ケーブル用コネクタに挿入された状態のＡ−Ａ断面図である。
【図７】平型柔軟ケーブルが挿入され、ケーブル支持部材が平型柔軟ケーブル用コネクタ内に収まった状態のＡ−Ａ断面図である。
【図８】従来の平型柔軟ケーブル用コネクタの底面図である。
【図９】図８のＢ−Ｂ断面図である。
【図１０】平型柔軟ケーブルを取付けたコネクタをプリント基板に接続する状態を示す斜視図である。
【符号の説明】
１              平型柔軟ケーブル用コネクタ（ケーブル用コネクタ）
２              開口部
３              挿通空間
４              ハウジング
５              ケーブル支持部材
６              操作部
６ａ、６ｂ      アーム
６ａ１、６ｂ１  係合部
６ａ２、６ｂ２  テーパー部分
８              スライダ
９              端子
９ａ            接触部（コンタクト）
９ｂ            テール部
１０            空間
１２ａ、１２ｂ  脚部
１４ａ          ホルダ部
１６            導電パッド部
Ｆ              平型柔軟ケーブル
Ｐ              プリント基板
【図１】
0004651242.tif 000002
【図２】
0004651242.tif 000003
【図３】
0004651242.tif 000004
【図４】
0004651242.tif 000005
【図５】
0004651242.tif 000006
【図６】
0004651242.tif 000007
【図７】
0004651242.tif 000008
【図８】
0004651242.tif 000009
【図９】
0004651242.tif 000010
【図１０】
0004651242.tif 000011